(57)【要約】【課題】  従来の遊技機では、履歴管理基板への配線の引き回しや、遊技機の裏面の構成が複雑となる。【解決手段】  遊技機枠に設けられた枠側電気部品８１と、遊技機枠に装着される遊技盤に設けられた盤側電気部品８２と、枠側電気部品または盤側電気部品のいずれかに含まれて遊技全般を制御する主制御装置３０とを備えた遊技機において、主制御装置３０には、枠側電気部品及び盤側電気部品の一方又は両方の通電時間を記憶する通電記憶装置（積算通電時間記憶装置７１やＩＣタグ７２）が設けられたことを特徴とする。【選択図】図１
2006175087.tif 000002
【特許請求の範囲】
【請求項１】
遊技機枠に設けられた枠側電気部品と、遊技機枠に装着される遊技盤に設けられた盤側電気部品と、枠側電気部品または盤側電気部品のいずれかに含まれて遊技全般を制御する主制御装置とを備えた遊技機において、主制御装置には、枠側電気部品及び盤側電気部品の一方又は両方の通電時間を記憶する通電記憶装置が設けられたことを特徴とする遊技機。
【請求項２】
主制御装置を除く枠側電気部品及び盤側電気部品が部品側記憶装置を備え、部品側記憶装置には、使用済遊技機として回収された主制御装置の通電記憶装置より読み出した通電時間が記憶されたことを特徴とする請求項１に記載の遊技機。
【請求項３】
通電記憶装置及び部品側記憶装置のうちの少なくともいずれか一方がＩＣタグであることを特徴とする請求項２に記載の遊技機。
【発明の詳細な説明】
【技術分野】
【０００１】
本発明は、電気配線の引き回しや裏面の構成の複雑化を抑止できてかつ使用済遊技機として回収される枠側電気部品や盤側電気部品の通電時間を知ることのできる構成の遊技機に関するものである。
【背景技術】
【０００２】
パチンコ機が、主制御基板、払出制御基板、発射制御基板、ランプ制御基板、効果音制御基板、表示用制御基板、履歴管理基板を備え、これらが互いに接続された構成が知られている。履歴管理基板は、遊技機に搭載された電気部品の通電時間を記憶する。履歴管理基板は、主制御基板、払出制御基板、発射制御基板、ランプ制御基板、効果音制御基板、表示用制御基板とは個別に設けられるため、履歴管理基板への電気配線の引き回しが複雑になる。また、履歴管理基板を遊技機の裏面に配置するので、遊技機の裏面の構成が複雑となる。
【特許文献１】特開２００２−３２５９３４号公報
【発明の開示】
【発明が解決しようとする課題】
【０００３】
発明が解決しようとする問題点は、従来の遊技機では、履歴管理基板への配線の引き回しや、遊技機の裏面の構成が複雑となるという点である。
【課題を解決するための手段】
【０００４】
本発明に係る遊技機は、遊技機枠に設けられた枠側電気部品と、遊技機枠に装着される遊技盤に設けられた盤側電気部品と、枠側電気部品または盤側電気部品のいずれかに含まれて遊技全般を制御する主制御装置とを備えた遊技機において、主制御装置には、枠側電気部品及び盤側電気部品の一方又は両方の通電時間を記憶する通電記憶装置が設けられたことを特徴とする。主制御装置を除く枠側電気部品及び盤側電気部品が部品側記憶装置を備え、部品側記憶装置には、使用済遊技機として回収された主制御装置の通電記憶装置より読み出した通電時間が記憶されたことや、通電記憶装置及び部品側記憶装置のうちの少なくともいずれか一方がＩＣタグであることも特徴とする。
【発明の効果】
【０００５】
本発明によれば、主制御装置に通電記憶装置を設けたことで、遊技機における電気配線の引き回しや、裏面の構成の複雑化を抑止できる。また、使用済遊技機の回収において、主制御装置のＲＯＭに書き込まれているプログラムが、少数の心無い遊技者によって解析されるという不正行為を防止する観点から、主制御装置は最重要回収部品として回収されるので、このように回収される主制御装置に通電記憶装置を設けたことにより、通電記憶装置に記憶された通電時間を読取器で読み取ることで、回収された使用済遊技機の枠側電気部品や盤側電気部品の通電時間を知ることができる。主制御装置を除く枠側電気部品及び盤側電気部品に設けた部品側記憶装置に、使用済遊技機として回収された主制御装置の通電記憶装置より読み出した通電時間を記憶すれば、主制御装置と枠側電気部品と盤側電気部品とがばらばらに分離されたとしても枠側電気部品や盤側電気部品の部品側記憶装置に記憶された通電時間を読み取ることでその枠側電気部品や盤側電気部品の通電時間を知ることができる。通電記憶装置や部品側記憶装置としてＩＣタグを用いることで、リーダ／ライタを用いて、ＩＣタグに記憶された通電時間の読み出しや、ＩＣタグへの通電時間の書き込みを簡単容易に行える。
【発明を実施するための最良の形態】
【０００６】
図１−図４は発明の最良の形態であって、図１の（ａ）はパチンコ機の電気系統を示し、図１の（ｂ）は主制御装置と枠側及び盤側電気部品との関係を示し、図２は使用済遊技の回収の流れを示し、図３はパチンコ機の前面を示し、図４はパチンコ機の裏面を示す。
【０００７】
図３を参照し、遊技機としてのパチンコ機の前面の構成を説明する。パチンコ機１は、遊技機枠２と遊技機枠２に装着される遊技盤３とで構成される。遊技機枠２は、遊技店の島と呼ばれる図外の遊技機設置構造体に設置される。遊技機枠２は、固定枠４の前側に可動枠５を左側に位置するヒンジ６で前側の横方向に片開き可能に取り付け、可動枠５の前側に前面扉７および球皿構造体８を左側に位置するヒンジ８で前側の横方向に片開き可能に取付けた構造である。固定枠４は、遊技機設置構造体に取付けるための外枠と呼ばれ、前後方向に開放された縦長な長方形の空間を囲む額縁形状である。可動枠５は、前枠または中枠と呼ばれ、遊技主体としての遊技盤３を取り付けるものである。前面扉７は、前後方向に貫通する開口部１１を囲む額縁形状である。前面扉７の裏面には、透過性パネル１２が開口部１１を塞ぐ格好で取り付けられる。前面扉７の前面には照明表示部１３や放音孔部１４を備える。照明表示部１３は内部にはランプ１５を備える。放音孔部１４の裏側にはスピーカ１６を備える。球皿構造体８の前面には球皿１７と発射操作機構１８とが設けられる。球皿１７の裏側に対応する可動枠５の前面には発射機構１９が設けられる。遊技盤３は開口部１１の裏側に位置するように可動枠５の図外の遊技盤取付部に取り付けられる。遊技盤３の前面には遊技領域２０を囲み形成する内ガイドレール２１；外ガイドレール２２が設けられる。遊技領域２０内における遊技盤３の前面には、始動入賞部品２３、センター飾り部品２４、機械式の図柄表示体２５、可変入賞部品２６、アウト口２７、一般入賞部品２８、障害釘や遊技釘と呼ばれる釘２９などが設けられる。センター飾り部品２４の裏側には液晶表示器１０が配置される。
【０００８】
図４を参照し、パチンコ機の裏面の構成について説明する。可動枠５に取り付けられた遊技盤３の裏面には、主制御装置３０、演出制御装置３１、液晶表示器１０の裏側に設けられた図柄制御装置３２が取り付けられる。この主制御装置３０、演出制御装置３１、図柄制御装置３２は、可動枠５の前側から中央開口部３３を経由して裏側に突出する。可動枠５の裏面には、電源装置３５、発射払出制御装置３６、払出装置３７が設けられる。払出装置３７は、タンク構造体３８、払出機構３９、払出球検出機構４０、連結樋４１、球切れ検出機構４２を備える。連結樋４１を通過した球は縦樋４３に取り込まれる。縦樋４３の下端は、球皿１７に延長する前横樋４４に連なる。縦樋４３の右側には、球抜通路構成体４５が併設される。図４での右側、左側とは、パチンコ機１を前側から見ての方向である。球抜通路構成体４５および縦樋４３は上部で互いに連接される。この連接部には、球を縦樋４３及び球抜通路構成体４５のいずれかに導くための通路切換機構４６が設けられる。電源装置３５及び発射払出制御装置３６と枠側可撓性配線５０とが電気的に接続される。主制御装置３０、演出制御装置３１、図柄制御装置３２、図柄表示体２５の駆動制御基板５１、可変入賞装置の駆動制御基板５２、始動入賞部品の図外の駆動制御基板、一般入賞部品２８の駆動制御基板５４と盤側可撓性配線５５とが電気的に接続される。枠側可撓性配線５０と盤側可撓性配線５５とがコネクタ５６で電気的に接続される。すなわち、電源装置３５、主制御装置３０、発射払出制御装置３６、演出制御装置３１、図柄制御装置３２、駆動制御基板５１；５２；５４などが、枠側可撓性配線５０と盤側可撓性配線５５とコネクタ５６とにより互いに電気的に接続される。枠側可撓性配線５０に設けられた電源端子基板５７には、プラグ５８を有する被覆電線からなる電源配線５９が接続される。よって、プラグ５８が交流２４Ｖの電源コンセントに接続され、電源装置３５の電源スイッチ５９ａが投入されると、電源装置３５から主制御装置３０及び発射払出制御装置３６、演出制御装置３１、図柄制御装置３２には直流５Ｖの電源が供給され、駆動制御基板５１；５２；５４には駆動源の駆動に必要な駆動電源が供給される。
【０００９】
図１（ａ）を参照し、パチンコ機の電気系統を説明する。パチンコ機１は、交流電源２４Ｖを入力して制御装置及び駆動源の駆動電源を生成する。電源装置３５により生成された駆動電源が、主制御装置３０、発射払出制御装置３６、演出制御装置３１、図柄制御装置３２などの制御装置、及び、モータ６０、ランプ１５、スピーカ１６、液晶表示器１０などの駆動源に供給される。電源装置３５は停電監視回路６１を備える。発射払出制御装置３６は、払出機構３９の図外のスプロケットのような払出体を回転させるモータ６０、発射機構１９の図外のソレノイドなどのような駆動源を制御する。演出制御装置３１は、スピーカ１６による音出力、ランプ１５の点灯を制御する。図柄制御装置３２は、液晶表示器１０の液晶表示画面の図柄演出を制御する。主制御装置３０、発射払出制御装置３６、演出制御装置３１、図柄制御装置３２は、図外のＣＰＵ、ＲＯＭ、ＲＡＭ、入力インターフェース、出力インターフェースのような電気部品の実装された回路基板を備えたものである。主制御装置３０は、遊技制御部６２と通電時間記憶部６３とを備える。主制御装置３０は、図外のＣＰＵ、ＲＯＭ、ＲＡＭ、入力インターフェース、出力インターフェースのような電気部品の実装された回路基板が、光を透過する性質のある無色な合成樹脂からなる収納箱内に格納され、収納箱が開閉できないように閉じられた構造である。主制御装置３０は、発射払出制御装置３６、演出制御装置３１、図柄制御装置３２を制御して遊技全般を制御する。
【００１０】
図１（ｂ）を参照し、主制御装置３０の通電時間記憶部６３について説明する。通電時間記憶部６３は、発振器６４、デジタル計測回路６５、演算回路６６、計測通電時間記憶装置７０、積算通電時間記憶装置７１、無線ＩＣタグ（ＲＦＩＤ（Ｒａｄｉｏ  Ｆｒｅｑｕｅｎｃｙ  Ｉｄｅｎｔｉｆｉｃａｔｉｏｎ）、以下「ＩＣタグ」という）７２と、これらを実装した図外の回路基板とで形成される。演算回路６６は内蔵した図外のＲＯＭに格納されたプログラムの手順にしたがって通電時間記憶処理を行う演算装置（ＣＰＵ）により実現される。計測通電時間記憶装置７０はＲＡＭのような揮発性メモリにより構成される。通電記憶装置としての積算通電時間記憶装置７１はＥＥＥＰＲＯＭやフラッシュＲＯＭと呼ばれるようなデータを読み書き可能な不揮発性メモリにより構成される。通電記憶装置としてのＩＣタグ７２は、図外のＩＣ（集積回路）チップとＩＣチップに内蔵されたアンテナとを備えたもの、あるいは、ＩＣチップとＩＣチップに接続されたアンテナとを備えたものである。ＩＣタグ７２は、例えば、１ｍｍ角より小さく、厚さが数十μｍ程度である。ＩＣチップは、例えば、ＣＰＵ、デ−タ処理する際に使うＲＡＭ、暗号化プログラムなどを格納したＲＯＭ、ＩＤコード及び情報を記憶するＥＥＥＰＲＯＭやフラッシュＲＯＭと呼ばれるようなデータを読み書き可能な不揮発性メモリ、暗号演算を行うコプロセッサを備える。ＩＣタグ７２の不揮発性メモリとしての例えばＥＥＥＰＲＯＭに記憶された情報はリーダで読み取ることができ、また、ライタによりＥＥＥＰＲＯＭに情報を書き込むことができる。例えば、リーダ及びライタの機能を備えたリーダ／ライタ７３を用いてＩＣタグ７２の不揮発性メモリに対するデータの読み書きを行うことができる。リーダ／ライタ７３は、図外の電源とアンテナと制御装置とを備えたものである。リーダ／ライタ７３の電源を投入してリーダ／ライタ７３のアンテナより電波を発信することでこのアンテナ近傍に誘導電磁界を発生させ、この誘導電磁界内にＩＣタグ７２が入るとＩＣタグ７２のアンテナに電流が流れるので、リーダ／ライタ７３及びＩＣタグ７２のアンテナを通じてリーダ／ライタ７３でＩＣタグ７２に対して情報を読み書きできる。演算回路６６と計測通電時間記憶装置７０と積算通電時間記憶装置７１とＩＣタグ７２とが図外の回路基板に形成された配線パターンにより互いに電気的に接続される。
【００１１】
プラグ５８が交流電源２４Ｖに接続された状態で、電源装置３５の電源スイッチ５９ａを操作して電源を投入することにより主制御装置３０に駆動電源が供給され、主制御装置３０の遊技制御部６２及び通電時間記憶部６３が起動する。通電時間記憶部６３の演算回路６６は発振器６４の発振信号により生成された制御クロック信号を入力して、この制御クロック信号のタイミングで作動する。電源投入により、演算回路６６が計測通電時間記憶装置７０に「１」を出力して記憶させ、デジタル計測回路６５は発振器６４からの信号により通電時間を計測して、１時間計測する毎に演算回路６６に「１」を出力する。演算回路６６は、デジタル計測回路６５から「１」の出力を受ける毎に、計測通電時間記憶装置７０に記憶されている値を内蔵のＲＡＭに読み込んで、その値に「１」を加算した値を計測通電時間記憶装置７０に出力して記憶させる。従って、計測通電時間記憶装置７０には通電時間が１時間単位で記憶される。そして、電源遮断や停電の場合においてはコンデンサなどにより構成されたバックアップ電源７５により演算回路６６に駆動電源が供給される。停電監視回路６１からの停電を知らせる停電信号が演算回路６６に出力されると、演算回路６６は停電信号の入力タイミングで計測通電時間記憶装置７０に記憶されている値を内蔵のＲＡＭに読み込んで、その値を、積算通電時間記憶装置７１に出力して記憶させる。電源復帰により、上記と同様に演算回路６６が計測通電時間記憶装置７０に通電時間を記憶させる。その後、電源遮断や停電があれば、バックアップ電源７５により駆動する演算回路６６が停電信号の入力タイミングで計測通電時間記憶装置７０及び積算通電時間記憶装置７１に記憶されている値を内蔵のＲＡＭに読み込んで、計測通電時間記憶装置７０及び積算通電時間記憶装置７１に記憶されていた２つの値を加算した値を、積算通電時間記憶装置７１及びＩＣタグ７２に出力して記憶させる。つまり、電源遮断や停電毎に、その電源遮断や停電の直前に計測通電時間記憶装置７０及び積算通電時間記憶装置７１のそれぞれ記憶されていた値を加算した値が、積算通電時間記憶装置７１及びＩＣタグ７２の不揮発性メモリに記憶される。従って、使用済遊技機８５として遊技店８７から回収した主制御装置３０のＩＣタグ７２に記憶されている通電時間を読取器としてのリーダ／ライタ７３で読み取ることにより、この回収した使用済遊技機８５における主制御装置３０を含む枠側電気部品８１及び盤側電気部品８２の通電時間を知ることができる。また、主制御装置３０に通電記憶装置としての積算通電時間記憶装置７１及びＩＣタグ７２を設けたことで、パチンコ機１の構成を簡単にできた。このため、パチンコ機１における電気配線の引き回しや、パチンコ機１の裏面の構成の複雑化を抑止できる。また、主制御装置３０のＲＯＭに書き込まれているプログラムが、少数の心無い遊技者によって解析されるという不正行為を防止する観点から、主制御装置３０は、使用済遊技機８５の回収において最重要回収部品として回収される。よって、このように最重要回収部品として回収される部品である主制御装置３０に積算通電時間記憶装置７１及びＩＣタグ７２を設けたので、使用済遊技機のリサイクル業者は回収された使用済遊技機８５の枠側電気部品８１や盤側電気部品８２の通電時間をほぼ確実に知ることができる。また、通電記憶装置としてＩＣタグ７２を用いたことで、リーダ／ライタ７３を用いて、ＩＣタグ７２に記憶された通電時間の読み出しを簡単容易に行える。枠側電気部品８１とは遊技機枠２に取り付けられている電気部品であり、例えば、図４に示すような、電源装置３５、発射払出制御装置３６、発射機構１９、発射機構１９のソレノイド、払出機構３９、払出機構３９のモータ６０、および、スピーカ１６、ランプ１５などである。盤側電気部品８２とは遊技盤３に取り付けられた液晶表示器１０、図柄表示体２５、図柄表示体２５の駆動源であるモータ、始動入賞部品２３や可変入賞部品２６の図外のチューリップと呼ばれるような開閉体の駆動源であるソレノイド、主制御装置３０、演出制御装置３１、図柄制御装置３２などである。
【００１２】
図２を参照し、使用済遊技機８５の回収方法について説明する。遊技機製造会社８６は遊技店８７と使用済遊技機８５の買取契約を交わし、契約した使用済遊技機８５を回収する。使用済遊技機８５は、パチンコ機１の遊技盤３または遊技盤３を含む遊技機枠２、スロットマシンなどである。買取契約の内容は遊技機製造会社８６に送付される。買取契約の内容は、契約年月日、契約番号、契約遊技店名、遊技機の機種名などである。買取契約の内容は人が倉庫８８内または倉庫８８の近くに設置された図外のコンピュータの入力機器を操作してコンピュータの記憶装置に記憶させる。つまり、人が紙の買取契約書の内容をコンピュータに入力してコンピュータの記憶装置に記憶させたり、遊技店８７あるいは遊技機製造会社８６からインターネットにより送信されてくる買取契約の内容を人の操作でコンピュータの記憶装置に記憶させる。倉庫８８は遊技機製造会社８６の倉庫あるいは遊技機製造会社８６が指定する倉庫である。倉庫８８の人は、遊技店８７から搬出されて倉庫８８に搬入された使用済遊技機８５の内容が、買取契約の内容と一致しているかどうかを確認する検収作業を行う。倉庫８８に搬入された使用済遊技機８５の内容と買取契約の内容とが一致している場合には、遊技機製造会社８６は、契約をしたリサイクル業者８９に、倉庫８８に保管した使用済遊技機８５の解体を、新品遊技機の製造計画に基づき委託する。リサイクル業者８９は、倉庫８８から運搬してきた使用済遊技機８５を解体した後、解体した部品の洗浄や機能検査を行って、その解体した部品のうちの再使用可能部品９０を遊技機製造会社８６に送り、その解体した部品のうちの再使用不可能部品９１を循環生産業者９２に送る。循環生産業者９２は、リサイクル業者８９から送られてきた遊技機枠２や遊技盤３などの再使用不可能部品９１を取り付けたままの使用済遊技機８５を破砕して、破砕片を乾燥させた後に、その破砕片を圧縮することにより、その圧縮工程で発生する熱で破砕片中の熱可塑性合成樹脂を軟化させるとともに破砕片の容積を圧縮して塊状の減容固化体を形成し、その減容固化体をロータリーキルンに投入して燃焼し、その燃焼灰をロータリーキルンで消石灰、酸化鉄、粘土などの主原料と一緒にセメントクリンカーとして焼き締めることで、セメントを生成する。
【００１３】
図２に示すように、リサイクル業者８９による使用済遊技機８５の解体作業において、人がリーダ／ライタ７３や図外のコンピュータを用いて使用済遊技機８５に搭載されている主制御装置３０のＩＣタグ７２の不揮発性メモリや積算通電時間記憶装置７１から通電時間を読み取る（ステップ１０１）。そして、例えば、その使用済遊技機８５の遊技盤３に搭載されている盤側電気部品８２としての液晶表示器１０や使用済遊技機８５の遊技機枠２に搭載されている枠側電気部品８１である発射機構１９に設けられたＩＣタグ９５（図１参照）に対してその主制御装置３０から読み取った通電時間を書込器としてのリーダ／ライタ７３で書き込む（ステップ１０２）。ＩＣタグ９５は例えば盤側電気部品８２や枠側電気部品８１の表面に形成された凹部に収納した後にシールで封するようにして設置する。よって、主制御装置３０と盤側電気部品８２と枠側電気部品８１とがばらばらに分離され、電気部品毎に分けられた後に、それら電気部品が再使用可能か否かを判断する場合に、その電気部品の通電時間を読み取って判断することが可能となることから、再使用可能部品９０と再使用不可能部品９１の選別作業を正確に行うことができる。そして、主制御装置３０と枠側電気部品８１と盤側電気部品８２とがばらばらに分離されたとしても枠側電気部品８１や盤側電気部品８２のＩＣタグ９５に記憶された通電時間をリーダ／ライタ７３で読み取ることでその枠側電気部品８１や盤側電気部品８２の通電時間を知ることができるので、枠側電気部品８１や盤側電気部品８２の通電時間が不明となってしまうような事態を少なくできる。さらに、盤側電気部品８２と枠側電気部品８１の部品側記憶装置としてＩＣタグ９５を用いたことで、リーダ／ライタ７３を用いて、ＩＣタグ９５への通電時間の書き込みを簡単容易に行える。
【産業上の利用可能性】
【００１４】
尚、図示しないが、演算回路６６の出力端子に配線パターンを接続してこの配線パターンの出力端子とパーソナルコンピュータなどを用いた読取器としての管理コンピュータの入力端子とをコネクタで接続することで、積算通電時間記憶装置７１に記憶された通電時間を当該管理コンピュータで読み取ることにより、この回収した使用済遊技機の主制御装置３０を含む枠側電気部品８１及び盤側電気部品８２の通電時間を知ることができる。当該コネクタは回路基板の配線パターンの出力端子に予め実装しておいても良いし、管理コンピュータで積算通電時間を読み取る際に回路基板の配線パターンの出力端子に取り付けても良い。本発明は遊技機としてのスロットマシンにも適用できる。
【図面の簡単な説明】
【００１５】
【図１】（ａ）はパチンコ機の電気系統を示すブロック図、（ｂ）は主制御装置と枠側及び盤側電気部品との関係を示すブロック図（最良の形態）。
【図２】使用済遊技機の回収の流れを示す図（最良の形態）。
【図３】パチンコ機の前面を示す図（最良の形態）。
【図４】パチンコ機の裏面を示す図（最良の形態）。
【符号の説明】
【００１６】
１  パチンコ機（遊技機）、２  遊技機枠、３  遊技盤、３０  主制御装置、
７０  計測通電時間記憶装置、７１  積算通電時間記憶装置（通電記憶装置）、
７２  ＩＣタグ（通電記憶装置）、８１  枠側電気部品、８２  盤側電気部品、
８５  使用済遊技機、９５  ＩＣタグ（部品側記憶装置）。
【図１】
2006175087.tif 000003
【図２】
2006175087.tif 000004
【図３】
2006175087.tif 000005
【図４】
2006175087.tif 000006